(57)【特許請求の範囲】
【請求項１】
使用者（Ｓ）を支えるクッション部材であって、
磁石部（１１）と、この磁石部（１１）に着磁可能な受け部（１２）を前記磁石部（１１）の少なくとも裏側に配設した磁石体を有し、
この磁石体は、当該クッション部材に埋没しており、
前記受け部（１２）と磁石部（１１）の間にスペーサ部が存在しているものの、前記受け部（１２）が磁石部（１１）に着磁し、
前記磁石部（１１）は、略中央に貫通孔を有し、
前記受け部（１２）は、磁石ではなく前記磁石部（１１）に着磁可能な素材で、且つ、略中央に貫通孔を有して上方開口した器状物であり、
前記磁石体は、前記磁石部（１１）の表側に位置するカバー部（１５）を備え、
前記スペーサ部は、前記磁石部（１１）に着磁せず、略中央に貫通孔を有したワッシャーであるところ、
このワッシャーが入って、前記カバー部（１５）の裏面に磁石部（１１）の外周側が密着することで、前記磁石部（１１）のカバー部（１５）に対する位置が固定され、
前記器状物である受け部（１２）における周端部に前記ワッシャーであるスペーサ部の外周側が密着することで、前記スペーサ部の受け部（１２）に対する位置が固定されると同時に、
前記磁石部（１１）とスペーサ部を内包した状態で、前記カバー部（１５）を受け部（１２）に固定することで、前記磁石部（１１）のスペーサ部に対する位置も固定される一方で、
前記カバー部（１５）の裏面には、前記磁石部（１１）の内周側は密着していないと同時に、
前記器状物である受け部（１２）の内周側にある隆起部には、前記ワッシャーであるスペーサ部の内周側も密着せず、
前記磁石部（１１）の貫通孔と、前記受け部（１２）の貫通孔は、１つの共通の部材で貫通されていて、
この共通の部材がスペーサ部であるワッシャーも貫通していて、
前記磁石体に糸状体（１３）を介して連結された係止体（１４）を有し、
前記磁石体は当該クッション部材の表面一方側から埋没し、前記糸状体（１３）は当該クッション部材を厚さ方向に貫通し、前記係止体（１４）は当該クッション部材の表面他方側に配設され、
前記係止体（１４）は、当該クッション部材の表面他方側から埋没していることを特徴とするクッション部材。
【請求項２】
請求項１に記載のクッション部材を備えたことを特徴とする椅子。
【請求項３】
請求項１に記載のクッション部材を備えたことを特徴とするマット状物。
【請求項４】
使用者（Ｓ）が使用するシート状物であるブランケット又はストールであって、
磁石部（１１）と、この磁石部（１１）に着磁可能な受け部（１２）を前記磁石部（１１）の少なくとも裏側に配設した磁石体を有し、
この磁石体における受け部（１２）は磁石で構成され、この受け部（１２）と磁石部（１１）の間にスペーサ部が存在し、
このスペーサ部が当該シート状物であるブランケット又はストールであり、
前記磁石部（１１）は、略球状で、且つ、略中央に貫通孔を有し、
前記受け部（１２）を構成する磁石も、略球状で、且つ、略中央に貫通孔を有し、
前記磁石部（１１）の貫通孔と、前記受け部（１２）の貫通孔は、１つの共通の部材で貫通されていて、
この共通の部材がスペーサ部も貫通していて、
当該シート状物であるブランケット又はストールは、平面視で略矩形状であると同時に、
前記磁石体は、当該シート状物であるブランケット又はストールに対して、平面視で互い違いになる位置に取り付けられ、
当該シート状物であるブランケット又はストールの素材は、織物、編物、不織布のうちの少なくとも１つである布帛で構成されていることを特徴とするブランケット又はストール。
【発明の詳細な説明】
【技術分野】
【０００１】
本発明は、磁石部に着磁可能な受け部をその裏側に配設した磁石体を有したクッション部材、椅子、マット状物、ブランケット、ストールに関する。
【背景技術】
【０００２】
従来、背もたれ部にマッサージを目的とした器具が設けられている椅子が知られている（特許文献１参照）。
この椅子は、背もたれ板上を３６０度自在に移動可能な指圧用磁石を有する座椅子である。
【先行技術文献】
【特許文献】
【０００３】
【特許文献１】登録実用新案第３０８０５２８号公報
【発明の概要】
【発明が解決しようとする課題】
【０００４】
しかしながら、特許文献１に記載された椅子は、指圧用のため、磁石が背もたれ板の表面から突出しており、指圧に用いない場合には、非常に座り心地が悪い。
又、特許文献１における突出した磁石は、椅子以外に取り付けたとしても、使い方によっては逆効果となる場合がある（例えば、使用者が横たわるマット等に取り付けた場合には、非常に寝心地が悪く、かえって身体を痛める虞がある）。
その他、特許文献１では、背もたれ板に磁石のみをただ単に取り付けただけであり、十分な磁力を発生させるためには、どうしても磁石の大型化は避けられない。【０００５】
本発明は、このような点に鑑み、磁石部に着磁可能な受け部をその裏側に配設した磁石体を、クッション部材に埋没させることで、クッション部材をはじめ、当該クッション部材を備えた椅子やマット状物等の本来の使い心地を確保できると共に、所定の磁力を保ちながら、磁石体を小型化したクッション部材等を提供することを目的とする。
又、本発明は、磁石部に着磁可能な受け部をその裏側に配設した磁石体を表面に取り付けたブランケット、ストールを提供することも目的とする。
【課題を解決するための手段】
【０００６】
本発明に係るクッション部材１は、使用者Ｓを支えるクッション部材であって、磁石部１１と、この磁石部１１に着磁可能な受け部１２を前記磁石部１１の少なくとも裏側に配設した磁石体を有し、この磁石体は、当該クッション部材に埋没しており、前記受け部１２と磁石部１１の間にスペーサ部が存在しているものの、前記受け部１２が磁石部１１に着磁し、前記磁石部１１は、略中央に貫通孔を有し、前記受け部１２は、磁石ではなく前記磁石部１１に着磁可能な素材で、且つ、略中央に貫通孔を有して上方開口した器状物であり、前記磁石体は、前記磁石部１１の表側に位置するカバー部１５を備え、前記スペーサ部は、前記磁石部１１に着磁せず、略中央に貫通孔を有したワッシャーであるところ、このワッシャーが入って、前記カバー部１５の裏面に磁石部１１の外周側が密着することで、前記磁石部１１のカバー部１５に対する位置が固定され、前記器状物である受け部１２における周端部に前記ワッシャーであるスペーサ部の外周側が密着することで、前記スペーサ部の受け部１２に対する位置が固定されると同時に、前記磁石部１１とスペーサ部を内包した状態で、前記カバー部１５を受け部１２に固定することで、前記磁石部１１のスペーサ部に対する位置も固定される一方で、前記カバー部１５の裏面には、前記磁石部１１の内周側は密着していないと同時に、前記器状物である受け部１２の内周側にある隆起部には、前記ワッシャーであるスペーサ部の内周側も密着せず、前記磁石部１１の貫通孔と、前記受け部１２の貫通孔は、１つの共通の部材で貫通されていて、この共通の部材がスペーサ部であるワッシャーも貫通していて、前記磁石体に糸状体１３を介して連結された係止体１４を有し、前記磁石体は当該クッション部材の表面一方側から埋没し、前記糸状体１３は当該クッション部材を厚さ方向に貫通し、前記係止体１４は当該クッション部材の表面他方側に配設され、前記係止体１４は、当該クッション部材の表面他方側から埋没していることを第１の特徴とする。
本発明に係る椅子２０は、上述のクッション部材を備えたことを第１の特徴とする。
本発明に係るマット状物３０は、上述のクッション部材を備えたことを第１の特徴とする。
本発明に係るブランケット又はストールは、使用者Ｓが使用するシート状物であるブランケット又はストールであって、磁石部１１と、この磁石部１１に着磁可能な受け部１２を前記磁石部１１の少なくとも裏側に配設した磁石体を有し、この磁石体における受け部１２は磁石で構成され、この受け部１２と磁石部１１の間にスペーサ部が存在し、このスペーサ部が当該シート状物であるブランケット又はストールであり、前記磁石部１１は、略球状で、且つ、略中央に貫通孔を有し、前記受け部１２を構成する磁石も、略球状で、且つ、略中央に貫通孔を有し、前記磁石部１１の貫通孔と、前記受け部１２の貫通孔は、１つの共通の部材で貫通されていて、この共通の部材がスペーサ部も貫通していて、当該シート状物であるブランケット又はストールは、平面視で略矩形状であると同時に、前記磁石体は、当該シート状物であるブランケット又はストールに対して、平面視で互い違いになる位置に取り付けられ、当該シート状物であるブランケット又はストールの素材は、織物、編物、不織布のうちの少なくとも１つである布帛で構成されていることを第１の特徴とする。
その他、クッション部材１は、使用者Ｓを支えるクッション部材であって、磁石部１１と、この磁石部１１に着磁可能な受け部１２を前記磁石部１１の少なくとも裏側に配設した磁石体１０を有し、この磁石体１０は、当該クッション部材に埋没していても良い。
【０００７】
その他、クッション部材１は、前記磁石体１０に糸状体１３を介して連結された係止体１４を有し、前記磁石体１０は当該クッション部材の表面一方側から埋没し、前記糸状体１３は当該クッション部材を厚さ方向に貫通し、前記係止体１４は当該クッション部材の表面他方側に配設され、当該クッション部材の厚さＴの値より、前記糸状体１３の長さＬの値が小さくても良い。
【０００８】
その他、椅子２０は、上記第１又は２の特徴を持つクッション部材を備えた椅子であって、前記クッション部材の表面から前記磁石体１０までの椅子埋没深さＤ１は、０．１ｃｍ以上１０．０ｃｍ以下であっても良い。
【０００９】
その他、マット状物３０は、上記第１又は２の特徴を持つクッション部材を備えたマット状物であって、前記クッション部材の表面から前記磁石体１０までのマット埋没深さＤ２は、０．１ｃｍ以上５．０ｃｍ以下であっても良い。
【００１０】
これらの特徴により、磁石部１１に着磁可能な受け部１２をその少なくとも裏側に配設した磁石体１０を、クッション部材１に埋没させることで、表１で示したように、磁石部１１だけの磁力よりも、その少なくとも裏側に受け部１２を配設した方が、同じ大きさの磁石部１１であっても磁力が上がり、使用者Ｓへ照射（浸透）する所定磁力を確保したまま、磁石部１１（磁石体１０）を大きくする必要がなく、結果的に「所定磁力を確保しての磁石小型化」が図れる。
これに加えて、この小型化によって、磁石体１０は、使用者Ｓに当たることを抑制できる。
これと同時に、特許文献１のように、磁石が背凭れの表面から突出することはなく、使用者Ｓの着座時に取り付けた磁石体１０が当ることを更に抑制でき、クッション部材１本来の使い心地を確保できる（「使い心地の確保」）。
尚、本発明における「磁石体１０の裏側（下側）」とは、磁石体１０が磁力を照射する側の反対側を意味する。一方、本発明における「磁石体１０の表側（上側）」とは、磁石体１０が磁力を照射する側を意味する。【００１１】
又、磁石体１０をクッション部材１の表面一方側（表側）１Ａから埋没し、糸状体１３でクッション部材１を厚さ方向に貫通させ、係止体１４をクッション部材１の表面他方側（裏側）１Ｂに配設し、クッション部材の厚さＴより糸状体１３の長さＬを小さくすることで、簡単な構成で、磁石体１０をクッション部材１に埋没させることが出来ると同時に、糸状体１３の長さＬを調整することで、容易に磁石体１０の埋没深さＤ（後述する椅子埋没深さＤ１やマット埋没深さＤ２）を調整することが可能となる。【００１２】
更に、椅子２０におけるクッション部材１の表面１ａから磁石体１０までの椅子埋没深さＤ１を、０．１ｃｍ以上１０．０ｃｍ以下とすることで、椅子２０の座部２１のように、着座した使用者Ｓの体重がかかる部分であっても、椅子２０が背凭れ部２２を有している場合、この背凭れ部２２のように、着座した使用者Ｓの体重がそれほどかからない部分であっても、クッション部材１の表面１ａが磁石体１０から離れ過ぎないため、使用者Ｓに照射する磁力を十分に（例えば、１７０ｍＴ（１７００Ｇ）などに）確保できる一方で、クッション部材１の表面１ａに近過ぎないため、磁石体１０が使用者Ｓに当たり難い。
つまり、椅子２０における「使い心地」と「所定磁力の確保」の両立が実現できる。【００１３】
一方、マット状物３０におけるクッション部材１の表面１ａから磁石体１０までのマット埋没深さＤ２を、０．１ｃｍ以上５．０ｃｍ以下とすることで、マット状物３０のように、使用者Ｓの体重が全体に分散してかかる部分であっても、クッション部材１の表面１ａが磁石体１０から離れ過ぎず、使用者Ｓに照射する磁力を十分確保できる一方で、クッション部材１の表面１ａに近過ぎず、磁石体１０が使用者Ｓに当たり難い。
つまり、マット状物３０においても、「使い心地」と「所定磁力の確保」の両立が実現できる。【００１４】
その他、シート状物４０は、磁石部１１と、この磁石部１１に着磁可能な受け部１２を前記磁石部１１の少なくとも裏側に配設した磁石体１０を有し、この磁石体１０は、略ボタン状に形成されると共に、当該シート状物の表面に取り付けられていても良い。
【００１５】
この特徴により、磁石部１１に着磁可能な受け部１２をその少なくとも裏側に配設した略ボタン状の磁石体１０を、シート状物４０の表面４０ａに取り付けることで、同じく表１で示したように、磁石部１１の少なくとも裏側に受け部１２を配設した方が磁力を上げることが出来、使用者Ｓへ照射する所定磁力を確保したまま、磁石部１１（磁石体１０）を大きくする必要がなく、「所定磁力を確保しての磁石小型化」が図れると同時に、この小型化によって、磁石体１０は、使用者Ｓに当たることを抑制できる。【００１６】
その他、磁石体１０は、磁石部１１と、この磁石部１１に着磁可能で且つ前記磁石部１１の少なくとも裏側に配設された受け部１２を備えていても良い。
【００１７】
この特徴により、磁石部１１に着磁可能な受け部３をその裏側に配設することで、同様に表１で示したように、磁石部１１の裏側に受け部１２を配設した方が磁力を上げることが出来、「所定磁力を確保しての磁石小型化」が図れ、ここまで述べたクッション部材１や椅子２０、マット状物３０、シート状物４０以外にも、小型化した磁石体１０が取り付け易くなり、様々なものに磁力発生機能を付加できる。
【発明の効果】
【００１８】
本発明に係るクッション部材、椅子、マット状物によると、磁石部に着磁可能な受け部をその裏側に配設した磁石体を、クッション部材に埋没させることで、クッション部材等本来の「使い心地の確保」と共に、所定の磁力を保ちながらの「磁石体を小型化」を実現できる。
又、本発明に係るブランケット又はストールによると、磁石部に着磁可能な受け部をその裏側に配設した磁石体を表面に取り付けたり、磁石体そのものにより、所定磁力を確保しての「磁石体の小型化」も実現できる。
【図面の簡単な説明】
【００１９】
【図１】本発明に係るクッション部材（クッション部材を備えた椅子）を示す側面図である。
【図２】椅子を示す正面図であって、（ａ）は１人掛けの椅子、（ｂ）は２人掛けの椅子、（ｃ）は３人掛けの椅子を示す。
【図３】椅子を示す平面図である。
【図４】椅子を示す図面代用写真である。
【図５】磁石体を示す断面側面図である。
【図６】磁石体（表面部を除き、かしめる前の状態）を示す図面代用写真であって、（ａ）は表側からの斜視図面代用写真、（ｂ）は裏側からの斜視図面代用写真を示す。
【図７】本発明に係る別のクッション部材（クッション部材を備えたマット状物）を示す側面図である。
【図８】マット状物を示す正面図である。
【図９】マット状物を示す平面図である。
【図１０】マット状物（枕部なし）を示す図面代用写真である。
【図１１】本発明に係るその他のクッション部材（クッション部材を備えたスツール）を示す側面図である。
【図１２】スツールを示す正面図である。
【図１３】スツールを示す平面図である。
【図１４】スツールを示す図面代用写真である。
【図１５】シート状物を示す概要斜視図である。
【発明を実施するための形態】
【００２０】
以下、本発明の実施形態を、図面を参照して説明する。
＜クッション部材１の全体構成＞
図１〜４、７〜１４には、本発明に係るクッション部材１が示されている。
このクッション部材１は、使用者Ｓを支えるものであって、このクッション部材１に埋没する磁石体１０を有している。
【００２１】
クッション部材１は、使用者Ｓを支えられ、磁石体１０を有するのであれば、何れの構成でも良く、例えば、発泡樹脂などの弾性素材で構成された中材２と、この中材２を覆う被覆材３を有していても構わない。
クッション部材１の全体形状も、特に限定はないが、例えば、後述する椅子２０において、着座した使用者Ｓを下方から支える座部状（座部２１）であったり、着座した使用者Ｓを後方から支える背凭れ状（背凭れ部２２）であっても良い。
【００２２】
クッション部材１の全体形状は、この他の例としては、マット状（後述するマット状物３０）や、枕状などでも良く、その他、リビング等で用いる所謂クッション類であっても構わない。
換言すれば、クッション部材１は、椅子２０やマット状物３０、スツールその他の家具類に備えられていたり（つまり、クッション部材１が椅子２０やマット状物３０等の一部を構成したり）、クッション部材１単体でクッション類を構成しても良い。
クッション部材１は、座部状や背凭れ状、マット状、枕状、クッション類等であってもその平面視や正面視、側面視における形状に限定はなく、例えば、略矩形状、略円形状、略リング状、略雲状であったり、三次元形状として、略直方体状や略球状、略棒状などでも良い。
【００２３】
＜中材２＞
図１、７、１１のように、クッション部材１の中材２は、使用者Ｓを支えるために被覆材３に覆われたものであって、その素材に限定はないが、例えば、発泡樹脂、繊維構造体、エラストマ、スプリングなどの弾性素材（伸縮する素材）で構成されていても良い。
中材２が発泡樹脂であれば、例えば、発泡ポリウレタン（ＰＵＲ）樹脂をはじめ、発泡ポリスチレン (ＰＳ) 樹脂、発泡ポリエチレン (ＰＥ) 樹脂や発泡ポリプロピレン (ＰＰ) 樹脂などの発泡ポリオレフィン樹脂の他、発泡フェノール (ＰＦ）樹脂  、発泡ポリ塩化ビニル (ＰＶＣ) 樹脂、発泡ユリア (ＵＦ) 樹脂、発泡──コーン (ＳＩ) 樹脂、発泡ポリイミド (ＰＩ) 樹脂、発泡メラミン( ＭＦ) 樹脂などでも良い。
【００２４】
中材２が繊維構造体であれば、例えば、綿（ポリエステル綿など）、不織布、フェルト、織物や編物等の布帛、紙、フェザー（羽根）などでも良く、その他、不織布・布帛より分厚い網状構造体でも構わない。
繊維構造体である中材２を構成する繊維も、特に限定はないが、例えば、ポリアミド（ＰＡ）樹脂や、ポリエチレンテレフタラート (ＰＥＴ）、ポリエチレンナフタレート (ＰＥＮ）などのポリエステル樹脂、ポリアクリロニトリル（ＰＡＮ）などのアクリル樹脂、ビニロンなどのポリビニルアルコール（ＰＶＡ）系繊維、ポリエチレン (ＰＥ) やポリプロピレン (ＰＰ) などのポリオレフィン樹脂、ポリウレタン（ＰＵ）樹脂などでも良く、その他、木綿、麻、羊毛、絹、カシミヤなどの天然繊維でも構わない。
【００２５】
中材２がエラストマであれば、例えば、ブタジエンゴム（ＢＲ）、スチレン・ブタジエンゴム（ＳＢＲ）、イソプレンゴム（ＩＲ）、クロロプレンゴム（ＣＲ）、ニトリルゴム（ＮＢＲ）、ポリイソブチレン（ブチルゴム（ＩＩＲ））、エチレンプロピレンゴム（ＥＰＭ）、クロロスルホン化ポリエチレン（ＣＳＭ）、アクリルゴム（ＡＣＭ）、エピクロルヒドリンゴム（ＥＣＯ）等の合成ゴム、天然ゴム（ＮＲ）等の加硫ゴムや、ウレタン（ＵＲ）ゴム、シリコーン（ＳＩ）ゴム、フッ素（Ｆ）ゴムなどの熱硬化性樹脂系エラストマでも良く、その他、スチレン系、オレフィン系、塩ビ系、ウレタン系、アミド系などの熱可塑性エラストマでも構わない。
中材２がスプリング（バネ）であれば、例えば、蔓巻バネ（コイルスプリング）、板バネなどの形状であっても良い。
【００２６】
スプリングである中材２を構成する素材も、鋼、りん青銅、ベリリウム銅などの金属や、エラストマ、合成樹脂、形状記憶合金（超弾性合金）、空気などの気体、水などの液体、木、合成樹脂等であっても構わない。
又、中材２は、上述したような素材であれば、何れの形状・構成でも良いが、例えば、板状（層状）、チップ状、ビーズ状であったり、フレームを有していても良い。
このような中材２を有するクッション部材１は、緩衝材であるとも言える。
尚、中材２における表面形状（凹凸）、模様、色彩なども、特に限定はない。
【００２７】
＜被覆材３＞
図１〜４、７〜１４のように、クッション部材１の被覆材３は、使用者Ｓを支えるために中材２を覆うシート状物であって、その素材に限定はないが、例えば、天然皮革などの皮革（本革、レザー）、織物などの布帛、合成樹脂のフィルム、綿などで構成されていても良い。
被覆材３が皮革であれば、例えば、動物の革から製造される天然皮革の他に、基材上にポリウレタン（ＰＵＲ）樹脂やポリアミド（ＰＡ）樹脂などの合成樹脂を塗布した合成皮革であっても良い。
【００２８】
被覆材３が布帛であれば、例えば、織物や編物、不織布などの何れであっても良く、これら布帛を構成する繊維も、特に限定はなく、例えば、上述したポリアミド（ＰＡ）樹脂や、ポリエチレンテレフタラート (ＰＥＴ）、ポリエチレンナフタレート (ＰＥＮ）などのポリエステル樹脂、ポリアクリロニトリル（ＰＡＮ）などのアクリル樹脂、ビニロンなどのポリビニルアルコール（ＰＶＡ）系繊維、ポリエチレン (ＰＥ) やポリプロピレン (ＰＰ) などのポリオレフィン樹脂、ポリウレタン（ＰＵ）樹脂、木綿、麻、羊毛（ウール）、絹、カシミヤなどの天然繊維でも構わない。
被覆材３がフィルム（薄い膜）である場合、それを構成する合成樹脂も、特に限定はなく、例えば、ポリエチレン (ＰＥ) 樹脂やポリプロピレン (ＰＰ) 樹脂などのポリオレフィン樹脂、ポリ塩化ビニル（ＰＶＣ）樹脂、ポリエチレンテレフタラート (ＰＥＴ）、ポリエチレンナフタレート (ＰＥＮ）などのポリエステル樹脂、ポリ塩化ビニリデンフィルム（ＰＶＤＣ）樹脂、ポリビニルアルコールフィルム（ＰＶＡ）樹脂、ポリカーボネートフィルム（ＰＣ）、ポリスチレンフィルム（ＰＳ）、アイオノマー樹脂（ＩＯ）、ポリアクリロニトリル（ＰＡＮ）樹脂、エチレン酢酸ビニル共重合体（ＥＶＡ）樹脂、エチレン−ビニルアルコール共重合体（ＥＶＯＨ）樹脂、エチレン−メタクリル酸共重合体（ＥＭＡＡ）樹脂、ポリアミド（ＰＡ）樹脂などでも良い。
尚、被覆材３における表面形状（凹凸）、模様、そして、色彩なども、特に限定はなく、例えば、色彩は、ブラウン、ホワイト、ブラック、ブルー、レッド、イエロー、グレー、グリーン、パープル、ピンク、オレンジなどであっても良い。
【００２９】
これらの中材２や被覆材３を有するクッション部材１は、埋没する磁石体１０の他に、この磁石体１０に糸状体１３を介して連結された係止体１４を有していても良い。
以下はまず、上述したクッション部材１や、後述する椅子２０、マット状体３０、スツール３５、シート状物４０の何れもが有している磁石体１０について説明する。
【００３０】
＜磁石体１０＞
図１〜１５（特に図５、６）に示したように、磁石体１０は、磁石部１１と、この磁石部１１の少なくとも裏側（下側）に配設された受け部１２を備えている。
磁石体１０は、磁石部１１や受け部１２以外に、磁石部１１の表側（上側）等に、カバー部１５を有していたり、このカバー部１５を更に覆う表面部１６を有していても良い。
【００３１】
磁石体１０は、磁石部１１や受け部１２を有するのであれば、その全体形状は特に限定はないが、例えば、略ボタン状（略円盤状）であっても良く、その他、略球状や略棒状、平面視で略矩形状、略三角形状、略星形状などであっても構わない。
又、磁石体１０は、その裏面側に、後述する糸状体１３を連結する連結部１７を設けていても良く、この連結部１７は具体的には略環状（略リング状）であっても良い。
その他、磁石体１０は、後述するスペーサ部１８を有していても良い。
【００３２】
磁石体１０の大きさも、特に制限はないが、例えば、磁石体１０が略ボタン状である場合には、その直径が１ｍｍ以上１００ｍｍ以下、好ましくは５ｍｍ以上５０ｍｍ以下、更に好ましくは１０ｍｍ以上３０ｍｍ以下であっても良い。
又、磁石体１０が略ボタン状である場合には、その厚さが０．０５ｍｍ以上５０．００ｍｍ以下、好ましくは０．５０ｍｍ以上３０．００ｍｍ以下、更に好ましくは１．００ｍｍ以上１０．００ｍｍ以下であっても良い。
【００３３】
＜磁石部１１＞
図５に示したように、磁石部１１は、磁力を発生するものであれば、何れの構成でも良いが、例えば、永久磁石や電磁石、磁力を帯びたものなどであっても良い。
磁石部１１が永久磁石であれば、ネオジウム磁石、フェライト磁石、サマリウムコバルト磁石、アルニコ磁石などであっても良く、この他、プラセオジム磁石、ネオジウム・鉄・ボロン磁石、サマリウム窒素鉄磁石、強磁性窒化鉄、ＫＳ鋼、ＭＫ鋼、白金磁石、セリウム・コバルト磁石等でも構わない。
【００３４】
永久磁石である磁石部１１の形状も、特に限定はなく、例えば、略中央に（回転軸に略沿った）孔（貫通孔）１１ａを有する略円盤状（略リング状）であっても良く、この場合、磁石部１１の貫通孔（磁石貫通孔）１１ａに、後述する受け部１２の隆起部１２ｂ等を通しても構わない。
その他、磁石部１１は、同じく略中央に貫通孔１１ａを有した略球状であったり、回転軸に略沿った貫通孔１１ａを有する略棒状であっても良い。
又、磁石部１１は、孔を有さない構成であっても良く、孔の無い略円盤状であったり、孔の無い略球状や略棒状、平面視で略矩形状、略三角形状、略星形状などであっても構わない。
【００３５】
磁石部１１が電磁石であっても、何れの構成でも良いが、例えば、鉄やコバルト、ニッケル、ガドリニウムなど強磁性を示す物質である芯材に、導線をコイル状に巻き付けた構成であっても良い。
電磁石である磁石部１１の芯材は、何れの形状でも良く、例えば、略リング状、略矩形状、略コ字状（略矩形から１辺を除いた形状）、略Ｅ字状、略Ｕ字状、略棒状などでも構わず、導線の太さ・巻数についても特に制限はない。
更に、磁石部１１における表面形状（凹凸）、模様、色彩なども、特に限定はない。
【００３６】
＜受け部１２＞
図５、６（ｂ）に示したように、受け部１２は、上述した磁石部１１に着磁可能で且つ当該磁石部１１の裏側等に配設されたものである。
受け部１２は、磁石部１１に着磁可能であれば、何れの構成・素材でも良いが、例えば、鉄やコバルト、ニッケル、ガドリニウムなど強磁性を示す物質であっても良く、この他、受け部１２も磁石で構成するなどであっても良い。
【００３７】
受け部１２の形状も、磁石部１１と同様に、特に限定はないが、例えば、略中央に孔（受け貫通孔１２ａ）を有する略円盤状（略リング状）であっても良い。
又、受け部１２は、磁石部１１を入れるように上方開口した器状物であっても良く、この場合、受け部１２は、磁石部１１の裏側（下側）に位置するだけでなく、磁石部１１の側周側に位置するとも言える。
【００３８】
更に、受け部１２が略リング状で且つ磁石部１１を入れるように上方開口した器状物であれば、磁石部１１の裏側（下側）や側周（外周面）側の他に、磁石部１１の磁石貫通孔１１ａの内周面側にも位置するとも言える。尚、この磁石貫通孔１１ａの内周面側に位置する部分を、隆起部１２ｂとする。
【００３９】
更に、受け部１２が磁石部１１に着磁可能であるならば、受け部１２と磁石部１１との間に、磁石部１１や受け部１２以外の別部材（スペーサ部１８）があっても良い。
つまり、受け部１２は、当該磁石部１１の少なくとも裏側（下側）に配設されていれば良い。
【００４０】
尚、受け部１２における表面形状（凹凸）、模様、色彩なども、特に限定はない。
又、受け部１２の形状は、孔を有さない略円盤状でも良く、この他、略球状や、平面視で略矩形状、略三角形状、略星形状などであっても構わない。更には、受け部１２の平面視における面積は、磁石部１１の平面視における面積より大きくても良く、例えば、受け部１２や磁石部１１が共に略リング状であれば、受け部１２の外径が磁石部１１の外径より大きかったり（内径との関係もあるが、受け部１２の平面視における面積は、磁石部１１の平面視における面積より大きかったり）、受け部１２や磁石部１１が共に略円盤状であれば、受け部１２の直径が磁石部１１の直径より大きくても構わない。
【００４１】
このような磁石部１１と受け部１２を有する磁石体１０は、クッション部材１（中材２、被覆材３）における表面１ａの一方側（表面一方側１Ａ）等に埋没しているのであれば、その取付手段（取付方法）について特に制限はなく、例えば、後述する糸状体１３や係止体１４を用いて埋没させていても良い。
つまり、磁石体１０をクッション部材１の表面一方側（表側）１Ａから埋没し、糸状体１３でクッション部材１を厚さ方向に貫通させ、係止体１４をクッション部材１の表面他方側（裏側）１Ｂに配設し、クッション部材の厚さＴより糸状体１３の長さＬを小さくすることで、簡単な構成で、磁石体１０をクッション部材１に埋没させることが出来ると同時に、糸状体１３の長さＬを調整することで、容易に磁石体１０の埋没深さＤ（後述する椅子埋没深さＤ１やマット埋没深さＤ２）を調整することが可能となる。
【００４２】
これら糸状体１３及び係止体１４を用いる取付手段の他、磁石体１０は、その連結部１７と糸状体１３でクッション部材１の表皮である被覆材３のみに取り付けて埋没させたり、磁石体１０を被覆材３（被覆材３における表面側又は裏面側）において別のシート状物（後述のカバーシート４１など）で覆い、覆ったこのシート状物の周端部を被覆材３の表面に固着させた状態とすることで、磁石体１０をクッション部材１に埋没させていたり、その他、カーシート（車の座席）などの場合に、磁石体１０を被覆材３と中材２の間に設けることでクッション部材１に埋没させて、磁石体１０を露出させなくても良い（磁石体１０と糸状体１３と係止体１４を用いる場合でも、磁石体１０だけでなく、係止体１４を露出させない構成でも良い）。
このように、磁石体１０をクッション部材１に埋没させることで、磁石が背凭れの表面から突出することはなく、使用者Ｓの着座時に取り付けた磁石体１０が当ることを抑制でき、クッション部材１本来の使い心地を確保できる（「使い心地の確保」）。
【００４３】
＜糸状体１３＞
図１、７、１１に示したように、糸状体１３は、上述した磁石体１０と後述する係止体１４を連結する糸条である。
糸状体１３は、磁石体１０と連結できるのであれば、何れの構成でも良いが、例えば、磁石体１０との連結は、糸状体１３の一端１３ａが、後述する略環状の連結部１７に結わえ付けられていても良い。
一方、糸状体１３は、係止体１４とも連結できるのであれば、何れの構成でも良いが、例えば、係止体１４との連結は、糸状体１３の他端１３ｂが、後述する係止体１４の連結部（係止連結部）等に挿通され、結わえ付けられていても良い。
【００４４】
糸状体１３は、上述したクッション部材１の表面一方側１Ａから埋没する磁石体１０と、クッション部材１の表面他方側１Ｂに配設される係止体１４との間を連結することから、糸状体１３はクッション部材１を厚さ方向に貫通することとなる。
尚、本発明における「クッション部材１の厚さ方向」とは、クッション部材１における表面一方側１Ａと表面他方側１Ｂを結ぶ方向と言え、使用者Ｓを支えるクッション部材１が伸縮する方向であるとも言える。尚、本発明における「クッション部材１の厚さ方向に貫通」とは、クッション部材１の上述した厚さ方向に沿って貫通するだけでなく、クッション部材１の上述した厚さ方向に略沿って貫通する場合（例えば、糸状体１３の長さ方向とクッション部材１の厚さ方向との間の角が０°以上１０°以下の場合など）も含む。
【００４５】
糸状体１３の素材は、磁石体１０と係止体１４に連結できるのであれば、特に限定はないが、例えば、ポリプロピレン（ＰＰ）樹脂、ポリアミド（ＰＡ）樹脂などの合成樹脂や、木綿、麻、絹、紙、ゴムなどでも良い。
糸状体１３の太さも、同様に、磁石体１０と係止体１４に連結できるのであれば、特に限定はなく、例えば、０．１ｍｍ以上５０．０ｍｍ以下、好ましくは０．５ｍｍ以上３０．０ｍｍ以下、更に好ましくは１．０ｍｍ以上２０．０ｍｍ以下であっても良い。
【００４６】
＜糸状体１３の長さＬ＞
図１、７、１１に示したように、糸状体１３の長さＬが、クッション部材１の厚さＴより短い（糸状体１３の長さＬの値はクッション部材１の厚さＴの値より小さい）ことで、当該糸状体１３に連結した磁石体１０を、クッション部材１に（略厚さ方向に）埋没させていても良い。
糸状体１３の長さＬの値と、クッション部材１の厚さＴの値との差は、何れでも良いが、例えば、０．１ｃｍ以上１５．０ｃｍ以下、好ましくは０．５ｃｍ以上１０．０ｃｍ以下、更に好ましくは１．０ｃｍ以上５．０ｃｍ以下であっても良い。
【００４７】
糸状体１３の長さＬの具体的な値は、何れでも良いが、例えば、１ｃｍ以上５０ｃｍ以下、好ましくは５ｃｍ以上４０ｃｍ以下、更に好ましくは１０ｃｍ以上３０ｃｍ以下であっても良い。
尚、本発明における「クッション部材１の厚さＴ」とは、クッション部材１における表面一方側１Ａと表面他方側１Ｂを結ぶ距離であると言え、使用者Ｓを支えるクッション部材１が伸縮する方向における長さであるとも言える。
又、糸状体１３における表面形状（凹凸）、模様、色彩なども、特に限定はない。
【００４８】
＜係止体１４＞
図１、７、１１に示したように、係止体１４は、上述した糸状体１３を介して磁石体１０に連結され、クッション部材１の表面他方側１Ｂに配設されたものである。
係止体１４は、糸状体１３に連結できるのであれば、何れの構成・素材でも良いが、例えば、糸状体１３の他端１３ｂと連結する係止連結部（連結部）を有していても良く、この係止連結部も、何れの構成でも良く、例えば、糸状体１３を挿通可能な貫通孔であったり、糸状体１３を掛け止め可能な棒状体などであっても構わない。
【００４９】
係止体１４は、糸状体１３に連結できるのであれば、その全体形状は特に限定はないが、例えば、略ボタン状（略円盤状）であっても良い。
係止体１４の全体形状が略ボタン状である場合には、１つの略円盤状物で係止体１４を形成しても良いが、その他、例えば、２つの略半円状の板材の間を連結部材で繋いで形成しても良く、この連結部材に貫通孔を設けて係止連結部としても構わない。
【００５０】
この場合には、糸状体１３の他端を貫通孔に挿通して、上述した連結部材に結わえ付けることとなる。
その他、係止体１４の全体形状は、略球状や略棒状、平面視で略矩形状、略三角形状、略星形状などであっても構わない。
【００５１】
係止体１４は、クッション部材１に表面他方側１Ｂから埋没していても良いし、係止体１４の平面視面積が糸状体１３の断面積より大きい等によって、クッション部材１に埋没しない状態で表面他方側１Ｂに配置されていても良い。
尚、本発明において「クッション部材１の表面他方側１Ｂに配設」とは、クッション部材１に埋没する場合と、クッション部材１に埋没しない状態で表面他方側１Ｂに配置された場合の何れをも含む。
【００５２】
係止体１４の素材は、糸状体１３に連結できるのであれば、特に限定はないが、例えば、ポリエチレンテレフタラート (ＰＥＴ）、ポリエチレンナフタレート (ＰＥＮ）などのポリエステル樹脂や、ユリア (ＵＦ) 樹脂、カゼイン樹脂、ポリアミド（ＰＡ）樹脂、ポリアクリロニトリル（ＰＡＮ）などのアクリル樹脂、ＡＢＳ樹脂、リエチレン (ＰＥ) 樹脂やポリプロピレン (ＰＰ) 樹脂などのポリオレフィン樹脂などの合成樹脂や、金、銀、銅、真鍮、黄銅、丹銅、鉄、ステンレス、チタン、アルミ、ラバーキャスト、亜鉛ダイキャスト等の金属（メッキなど）のほか、貝、木、実、ガラス、陶器、革、ラバー、石、珊瑚、鼈甲、骨、布帛、紙などでも良い。
【００５３】
係止体１４の大きさも、特に制限はないが、例えば、係止体１４が略ボタン状である場合には、その直径が１ｍｍ以上１５０ｍｍ以下、好ましくは５ｍｍ以上７５ｍｍ以下、更に好ましくは１０ｍｍ以上４５ｍｍ以下であっても良い。
又、係止体１４が略ボタン状である場合には、その厚さが０．０５ｍｍ以上７５．００ｍｍ以下、好ましくは０．５０ｍｍ以上４５．００ｍｍ以下、更に好ましくは１．００ｍｍ以上３０．００ｍｍ以下であっても良い。
更に、係止体１４における表面形状（凹凸）、模様、色彩なども、特に限定はない。
【００５４】
＜カバー部１５＞
図５、６（ａ）に示したように、カバー部１５は、磁石部１１の表側（上側）等に位置するものである。
カバー部１５は、磁石部１１の表側に位置しているのであれば、何れの全体形状でも良いが、例えば、磁石部１１を入れる下方開口した略傘状であっても良い。
【００５５】
このように略傘状である場合には、カバー部１５は、磁石部１１の表側（上側）に位置するだけでなく、磁石部１１の側周側に位置するとも言える。
更に、カバー部１５が磁石部１１の表側に位置しているのでならば、カバー部１５と磁石部１１との間に、磁石部１１やカバー部１５以外の別部材（例えば、ワッシャーや、フィルム、紙等のシート状物、所定厚さの板材など）があっても良い。
【００５６】
つまり、カバー部１５は、当該磁石部１１の少なくとも表側（上側）に位置していれば良く、カバー部１５は、当該磁石部１１の少なくとも表側（上側）を覆っているとも言える。
その他の形状として、カバー部１５は、磁石部１１の表側を覆う略円盤状であったり、有底の略円筒状であったり、平面視で略矩形状、略三角形状、略星形状などであっても構わない。
【００５７】
又、カバー部１５が略傘状や有底の略円筒状等である場合には、その内底の略中央から後述する連結部１７を支える支持材１５ａが立設していても良い。
カバー部１５の素材は、磁石部１１の表側（上側）等に位置するのであれば、特に限定はないが、例えば、鉄、銅、亜鉛、アルミ、金、銀、真鍮、黄銅、丹銅、ステンレス、チタン、ラバーキャスト、亜鉛、ダイキャスト等の金属（メッキなど）のほか、その他、ポリエチレンテレフタラート (ＰＥＴ）、ポリエチレンナフタレート (ＰＥＮ）などのポリエステル樹脂や、ユリア (ＵＦ) 樹脂、カゼイン樹脂、ポリアミド（ＰＡ）樹脂、ポリアクリロニトリル（ＰＡＮ）などのアクリル樹脂、ＡＢＳ樹脂、リエチレン (ＰＥ) 樹脂やポリプロピレン (ＰＰ) 樹脂などのポリオレフィン樹脂などの合成樹脂や、貝、木、実、ガラス、陶器、革、ラバー、石、珊瑚、鼈甲、骨、布帛、紙などでも良い。
カバー部１５における表面形状（凹凸）、模様、色彩などは、特に限定がなく、凹凸によって記号・マーク・花などが形成されていたり、金色等であっても良い。
尚、このカバー部１５と受け部１２が金属であれば、これらをかしめることで、磁石部１１を内包した状態でカバー部１５を受け部１２に固定しても良い。その際、後述の表面部１６もカバー部１５と受け部１２の間にかしめ込んでも構わない。
【００５８】
＜表面部１６＞
図５に示したように、表面部１６は、上述したカバー部１５を表側（上側）から更に覆うシート状物である。
表面部１６は、カバー部１５の表側を覆うのであれば、何れの構成・素材でも良いが、例えば、シート状物である表面部１６を、カバー部１５の表側に接着剤等を介して固着させていても良い。
【００５９】
表面部１６の素材は、カバー部１５を表側から覆えるのであれば、特に限定はないが、例えば、天然皮革などの皮革（本革、レザー）、織物などの布帛、合成樹脂のフィルム、綿などで構成されていても良い。
表面部１６が皮革であれば、例えば、動物の革から製造される天然皮革の他に、基材上にポリウレタン（ＰＵＲ）樹脂やポリアミド（ＰＡ）樹脂などの合成樹脂を塗布した合成皮革であっても良い。
【００６０】
表面部１６が布帛であれば、例えば、織物や編物、不織布などの何れであっても良く、これら布帛を構成する繊維も、特に限定はなく、例えば、上述したポリアミド（ＰＡ）樹脂や、ポリエチレンテレフタラート (ＰＥＴ）、ポリエチレンナフタレート (ＰＥＮ）などのポリエステル樹脂、ポリアクリロニトリル（ＰＡＮ）などのアクリル樹脂、ビニロンなどのポリビニルアルコール（ＰＶＡ）系繊維、ポリエチレン (ＰＥ) やポリプロピレン (ＰＰ) などのポリオレフィン樹脂、ポリウレタン（ＰＵ）樹脂、木綿、麻、羊毛（ウール）、絹、カシミヤなどの天然繊維でも構わない。
表面部１６がフィルム（薄い膜）である場合、それを構成する合成樹脂も、特に限定はなく、例えば、ポリエチレン (ＰＥ) 樹脂やポリプロピレン (ＰＰ) 樹脂などのポリオレフィン樹脂、ポリ塩化ビニル（ＰＶＣ）樹脂、ポリエチレンテレフタラート (ＰＥＴ）、ポリエチレンナフタレート (ＰＥＮ）などのポリエステル樹脂、ポリ塩化ビニリデンフィルム（ＰＶＤＣ）樹脂、ポリビニルアルコールフィルム（ＰＶＡ）樹脂、ポリカーボネートフィルム（ＰＣ）、ポリスチレンフィルム（ＰＳ）、アイオノマー樹脂（ＩＯ）、ポリアクリロニトリル（ＰＡＮ）樹脂、エチレン酢酸ビニル共重合体（ＥＶＡ）樹脂、エチレン−ビニルアルコール共重合体（ＥＶＯＨ）樹脂、エチレン−メタクリル酸共重合体（ＥＭＡＡ）樹脂、ポリアミド（ＰＡ）樹脂などでも良い。
尚、表面部１６における表面形状（凹凸）、模様、そして、色彩なども、特に限定はなく、例えば、色彩は、ブラウン、ホワイト、ブラック、ブルー、レッド、イエロー、グレー、グリーン、パープル、ピンク、オレンジなどであっても良い。
【００６１】
＜連結部１７＞
図５、６（ｂ）に示したように、連結部１７は、磁石体１０において糸状体１３と連結する部分である。
連結部１７は、糸状体１３と連結できるのであれば、何れの構成・素材でも良いが、例えば、上述したように、略環状（略リング状）であっても良い。
【００６２】
連結部１７が略環状である場合は、その環の中に糸状体１３の一端１３ａを挿通させて、この連結部１７に結わえ付けることとなる。
このような連結部１７を支えるカバー部１５の支持材１５ａは、上述した磁石部１１の貫通孔１１ａや、受け部１２の貫通孔１２ａを挿通することとなり、挿通した支持材１５ａの先端（下端）の連結部１７が、受け部１２の貫通孔１２ａから下方に突出する。
【００６３】
連結部１７の大きさも、特に制限はないが、例えば、連結部１７が略環状である場合には、その外径が０．２ｍｍ以上７０．０ｍｍ以下、好ましくは０．６ｍｍ以上５０．０ｍｍ以下、更に好ましくは１．１ｍｍ以上４０．０ｍｍ以下であっても良く、その内径は０．１ｍｍ以上５０．０ｍｍ以下、好ましくは０．５ｍｍ以上３０．０ｍｍ以下、更に好ましくは１．０ｍｍ以上２０．０ｍｍ以下であっても良い。
その他、連結部１７の形状として、例えば、略フック状であったり、略棒状であっても構わない。
【００６４】
連結部１７の素材も、特に限定はないが、例えば、ポリエチレンテレフタラート (ＰＥＴ）、ポリエチレンナフタレート (ＰＥＮ）などのポリエステル樹脂や、ユリア (ＵＦ) 樹脂、カゼイン樹脂、ポリアミド（ＰＡ）樹脂、ポリアクリロニトリル（ＰＡＮ）などのアクリル樹脂、ＡＢＳ樹脂、リエチレン (ＰＥ) 樹脂やポリプロピレン (ＰＰ) 樹脂などのポリオレフィン樹脂などの合成樹脂や、金、銀、銅、真鍮、黄銅、丹銅、鉄、ステンレス、チタン、アルミ、ラバーキャスト、亜鉛ダイキャスト等の金属（メッキなど）のほか、貝、木、実、ガラス、陶器、革、ラバー、石、珊瑚、鼈甲、骨、布帛、紙などでも良い。
【００６５】
＜スペーサ部１８＞
図５に示したように、スペーサ部１８は、磁石部１１と受け部１２との間に存在するものである。
スペーサ部１８は、磁石部１１と受け部１２との間に存在するのであれば、何れの構成・素材でも良いが、例えば、ワッシャーや、フィルム、紙等のシート状物、所定厚さの板材などでも良く、磁石部１１に着磁しないものでも、着磁するものでも構わない。
【００６６】
スペーサ部１８の形状は、上述したように、ワッシャーのように、略中央に（回転軸に略沿った）孔（貫通孔）１８ａを有する略円盤状（略リング状）であったり、孔を有さない略円盤状でも良く、この他、略球状や、平面視で略矩形状、略三角形状、略星形状などであっても構わない。
尚、スペーサ部１８における表面形状（凹凸）、模様、色彩なども、特に限定はない。
【００６７】
＜試験１＞
試験１では、ここまで述べた磁石体１０について、磁石部１１や受け部１２、カバー部１５、表面部１６、スペーサ部１８の各構成（実施例１〜３・比較例１〜３）の表側（上側）から生じる磁力の大きさ（最大磁束密度）を、磁石部１１が１枚の時と２枚の時のそれぞれについて、以下の表１に示す。
尚、各実施例・各比較例における最大磁束密度は、ＪＩＳ−Ｔ−２００７：２０１１（４．１）に準ずる方法によって測定され、測定機器は、ガウスメーターＧＭ−４０００（電子磁気工業株式会社製）を用いた。
【００６８】
又、試験１において用いた磁石体１０は略ボタン状であり、磁石部１１は略リング状で希土類の永久磁石であり、受け部１２からカバー部１５までの距離は約５ｍｍである。
更に、磁石部１１の厚さは約２．５ｍｍであり、スペーサ部１８の厚さも約２．５ｍｍであっても良い。
【００６９】
試験１における実施例１〜３、比較例１〜３として、以下のものを使用した。
実施例１は磁石部１１と受け部１２を有したものとしたのに対し、比較例１は磁石部１１のみを有したものとした。つまり、実施例１と比較例１の違いは、受け部１２の有無である。
以下同様に、実施例２は磁石部１１と受け部１２とカバー部１５を有したものとしたのに対し、比較例２は受け部１２とカバー部１５を有したものとし、実施例３は磁石部１１と受け部１２とカバー部１５と表面部１６を有したものとしたのに対し、比較例３は受け部１２とカバー部１５と表面部１６を有したものとした。つまり、実施例２、３と比較例２、３の違いも、受け部１２の有無である。
【００７０】
尚、実施例２、３で磁石部１１が１枚の場合には、磁石部１１とカバー部１５の間に空間が出来るため、磁石部１１の下側にスペーサ部１８を入れて、カバー部１５の裏面（下面）に磁石部１１を密着させている。
これは、比較例２、３で磁石部１１が１枚の場合には、磁石部１１をカバー部１５の裏面に指等で密着させた状態で最大磁束密度を測定するためであり、このスペーサ部１８によって、実施例２、３と比較例２、３における磁石部１１とカバー部１５の条件（距離）を合わせている。
【００７１】
【表１】
0005944071.tif 000002
【００７２】
この表１により、実施例１と比較例１、実施例２と比較例２、実施例３と比較例３を比べると、磁石部１１のみよりも、この磁石部１１に着磁可能な受け部１２を、当該磁石部１１の少なくとも裏側に配設するだけで、カバー部１５や表面部１６の有無、磁石部１１の枚数によらず、何れの実施例と比較例においても、磁石部１１（磁石体１０）の表側（上側）から発せられる磁力を大きくすることが可能となる。
従って、磁石部１１だけの磁力よりも、その少なくとも裏側に受け部１２を配設した方が、同じ大きさの磁石部１１であっても磁力が上がり、使用者Ｓへ照射（浸透）する所定磁力を確保したまま、磁石部１１（磁石体１０）を大きくする必要がなく、結果的に「所定磁力を確保しての磁石小型化」が図れる。
これに加えて、この小型化によって、磁石体１０は、使用者Ｓに当たることを抑制できる。
【００７３】
＜椅子２０＞
図１〜４に示したように、椅子２０は、上述したクッション部材１を備えており、当然、このクッション部材１には、上述した磁石体１０が埋没している。
椅子２０は、磁石体１０が埋没したクッション部材１を備えていれば、何れの構成でも良いが、少なくとも座部２１を有している。
【００７４】
椅子２０は、この他、背凭れ部２２、脚部２３、肘掛部２４、リクライニング機構２５や、クッション部材１内にフレームを有していても良い。
椅子２０は、座部２１のみにクッション部材１を備えていたり、背凭れ部２２のみにクッション部材１を備えていたり、座部２１と背凭れ部２２の両方にクッション部材１を備えていても構わない。
【００７５】
＜座部２１＞
図１〜４に示したように、椅子２０の座部２１は、使用者Ｓを下方から支える部分である。
座部２１は、当該座部２１全体が、上述したクッション部材１で形成されていても良いし、座部２１のうち、使用者Ｓに当接する座面２１ａ側（クッション部材１における表面一方側１Ａ）だけにクッション部材１を備え、座面２１ａの反対側（クッション部材１における表面他方側１Ｂ）に別部材（クッション部材１の支持部材など）を有していても構わない。
【００７６】
座部２１の形状は、座部２１全体がクッション部材１で形成されている場合には、例えば、略直方体状（角の取れた直方体）であったり、略円柱状や略板状であったり、その他、略球状や略棒状、平面視で略矩形状、略三角形状、略星形状などであっても構わない。
座部２１がクッション部材１とその支持部材を有している場合も、クッション部材１と支持部材を合わせた全体形状が、例えば、略直方体状や、略円柱状、略板状、略球状、略棒状、平面視で略矩形状、略三角形状、略星形状などであっても良い。
【００７７】
座部２１の大きさは、特に制限はないが、例えば、座部２１が略直方体状である場合には、その左右方向の長さ（幅）が４００ｍｍ以上７００ｍｍ以下、好ましくは４５０ｍｍ以上６５０ｍｍ以下、更に好ましくは５００ｍｍ以上６００ｍｍ以下（例えば、５５０ｍｍ）であっても良い。
同様に、座部２１が略直方体状である場合には、その他、座部２１全体としての前後方向（奥行方向）の長さは、例えば、４００ｍｍ以上１０００ｍｍ以下、好ましくは５００ｍｍ以上９００ｍｍ以下、更に好ましくは６００ｍｍ以上８００ｍｍ以下（例えば、７００ｍｍ）であっても良く、座部２１において使用者Ｓが着座可能な座面２１ａの前後方向の長さは、例えば、３５０ｍｍ以上６５０ｍｍ以下、好ましくは４００ｍｍ以上６００ｍｍ以下、更に好ましくは４５０ｍｍ以上５５０ｍｍ以下（例えば、５００ｍｍ）であっても良い。
座部２１におけるクッション部材１の厚さは、例えば、５０ｍｍ以上３５０ｍｍ以下、好ましくは１００ｍｍ以上３００ｍｍ以下、更に好ましくは１５０ｍｍ以上２５０ｍｍ以下（例えば、２００ｍｍ）であっても良い。
【００７８】
座部２１のクッション部材１に埋没する磁石体１０の個数も、特に制限はないが、当然、少なくとも１個は有しており、その他、磁石体１０を、２、４、６個・・・等の偶数個を左右対象位置に埋没させて良い（例えば、４個）。
座部２１において磁石体１０が左右対称位置に偶数個埋没している場合に、隣接する磁石体１０の間の距離（間隔）も、特に制限はないが、例えば、前後方向の距離（前後間隔）が１１０ｍｍ以上１７０ｍｍ以下、好ましくは１２０ｍｍ以上１６０ｍｍ以下、更に好ましくは１３０ｍｍ以上１５０ｍｍ以下（例えば、１４０ｍｍ）でも良い。
【００７９】
又、座部２１において、左右対称位置に偶数個埋没し隣接する磁石体１０の間の左右方向の距離（左右間隔）も、特に制限はなく、例えば、１７０ｍｍ以上２３０ｍｍ以下、好ましくは１８０ｍｍ以上２２０ｍｍ以下、更に好ましくは１９０ｍｍ以上２１０ｍｍ以下（例えば、２００ｍｍ）でも良い。
更に、座部２１において、埋没している磁石体１０のクッション部材１端縁からの距離も、特に制限はなく、例えば、左右方向の距離は、１１０ｍｍ以上２３０ｍｍ以下、好ましくは１３０ｍｍ以上２１０ｍｍ以下、更に好ましくは１５０ｍｍ以上１９０ｍｍ以下（例えば、１６７ｍｍ）でも良く、前後方向の距離は、１６０ｍｍ以上２８０ｍｍ以下、好ましくは１８０ｍｍ以上２６０ｍｍ以下、更に好ましくは２００ｍｍ以上２４０ｍｍ以下（例えば、２２０ｍｍ）でも良い。
【００８０】
＜背凭れ部２２＞
図１〜４に示したように、椅子２０の背凭れ部２２は、使用者Ｓを後方から支える部分である。
背凭れ部２２は、当該背凭れ部２２全体が、上述したクッション部材１で形成されていても良いし、背凭れ部２２のうち、使用者Ｓに当接する背凭れ面２２ａ側（クッション部材１における表面一方側１Ａ）だけにクッション部材１を備え、背凭れ面２２ａの反対側（クッション部材１における表面他方側１Ｂ）に別部材（クッション部材１の支持部材など）を有していても構わない。
【００８１】
背凭れ部２２の形状は、背凭れ部２２全体がクッション部材１で形成されている場合には、例えば、側面視で略く字状（上下２つの略直方体状（角の取れた直方体）が側面視で所定角度をつけて接続している形状）、１つの略直方体状であったり、略円柱状や略板状であったり、その他、略球状や略棒状、正面視で略矩形状、略三角形状、略星形状などであっても構わない。
背凭れ部２２がクッション部材１とその支持部材を有している場合も、クッション部材１と支持部材を合わせた全体形状が、例えば、側面視略く字状や、略直方体状、略円柱状、略板状、略球状、略棒状、平面視で略矩形状、略三角形状、略星形状などであっても良い。
【００８２】
背凭れ部２２の大きさは、特に制限はないが、例えば、背凭れ部２２が略く字状である場合には、その左右方向の長さ（幅）が４００ｍｍ以上７００ｍｍ以下、好ましくは４５０ｍｍ以上６５０ｍｍ以下、更に好ましくは５００ｍｍ以上６００ｍｍ以下（例えば、５５０ｍｍ）であっても良い。
同様に、背凭れ部２２が略く字状である場合には、その他、背凭れ部２２の上下方向の長さ（高さ）は、例えば、下の略直方体状の高さが１４０ｍｍ以上７４０ｍｍ以下、好ましくは２４０ｍｍ以上６４０ｍｍ以下、更に好ましくは３４０ｍｍ以上５４０ｍｍ以下（例えば、４４０ｍｍ）であっても良く、上の略直方体状の高さは９０ｍｍ以上５１０ｍｍ以下、好ましくは１６０ｍｍ以上４４０ｍｍ以下、更に好ましくは２３０ｍｍ以上３７０ｍｍ以下（例えば、３００ｍｍ）であっても良い。
背凭れ部２２におけるクッション部材１の厚さも、例えば、５０ｍｍ以上３５０ｍｍ以下、好ましくは１００ｍｍ以上３００ｍｍ以下、更に好ましくは１５０ｍｍ以上２５０ｍｍ以下（例えば、２００ｍｍ）であっても良い。
【００８３】
背凭れ部２２のクッション部材１に埋没する磁石体１０の個数も、特に制限はないが、当然、少なくとも１個は有しており、その他、磁石体１０を、２、４、６個・・・等の偶数個を左右対象位置に埋没させて良い（例えば、６個）。
背凭れ部２２において磁石体１０が左右対称位置に偶数個埋没している場合に、隣接する磁石体１０の間の距離（間隔）も、特に制限はないが、例えば、上下方向の距離（上下間隔）が１１０ｍｍ以上１７０ｍｍ以下、好ましくは１２０ｍｍ以上１６０ｍｍ以下、更に好ましくは１３０ｍｍ以上１５０ｍｍ以下（例えば、１４０ｍｍ）でも良い。
【００８４】
又、背凭れ部２２においても、左右対称位置に偶数個埋没し隣接する磁石体１０の間の左右方向の距離（左右間隔）も、特に制限はなく、例えば、１７０ｍｍ以上２３０ｍｍ以下、好ましくは１８０ｍｍ以上２２０ｍｍ以下、更に好ましくは１９０ｍｍ以上２１０ｍｍ以下（例えば、２００ｍｍ）でも良い。
更に、背凭れ部２２において、埋没している磁石体１０のクッション部材１端縁からの距離も、特に制限はなく、例えば、左右方向の距離は、１１０ｍｍ以上２３０ｍｍ以下、好ましくは１３０ｍｍ以上２１０ｍｍ以下、更に好ましくは１５０ｍｍ以上１９０ｍｍ以下（例えば、１６７ｍｍ）でも良く、上下方向の距離は、１２０ｍｍ以上２６０ｍｍ以下、好ましくは１４０ｍｍ以上２４０ｍｍ以下、更に好ましくは１６０ｍｍ以上２２０ｍｍ以下（例えば、１８０ｍｍや２００ｍｍ）でも良い。
【００８５】
＜試験２＞
ここまで述べた椅子２０における磁石体１０について、座部２１に埋没する４個の磁石体１０（図３中の<1> 〜<4> ）や背凭れ部２２に埋没する６個の磁石体１０（図３中の<5> 〜<10>）ごとに表側（上側、又は、使用者Ｓに近接する側）から生じる磁力の大きさ（最大磁束密度）を、以下の表２に示す。
尚、各磁石体１０における最大磁束密度は、ＪＩＳ−Ｔ−２００７：２０１１（４．１）に準ずる方法によって測定され、測定機器は、ガウスメーターＧＭ−４０００（電子磁気工業株式会社製）を用いた。測定時の気温は２２℃、湿度は３０％であった。
【００８６】
又、試験２において用いた磁石体１０も、略ボタン状であり、磁石部１１と受け部１２とカバー部１５と表面部１６を有していて、以下、試験１と同様で、磁石部１１は略リング状で希土類の永久磁石を２枚使用しており、受け部１２からカバー部１５までの距離は約５ｍｍである。
更に、磁石部１１の厚さも、試験１と同様で、約２．５ｍｍであっても良い。
【００８７】
【表２】
0005944071.tif 000003
【００８８】
この表２で示されたように、座部２１や背凭れ部２２における合計１０個の磁石体１０から発生する磁力は、各磁石体１０内における磁石部１１の高さ位置や、表面部１６の厚さなどが微妙に異なるものの、何れも１７０ｍＴ（ミリテスラ）（１７００Ｇ（ガウス））前後、より詳しくは、１７０ｍＴ±３０ｍＴ（１７００Ｇ±３００Ｇ）の範囲内に入っている。
つまり、使用者Ｓへ照射（浸透）する所定磁力（例えば、１７０ｍＴ（１７００Ｇ）など）が確保されている。
【００８９】
＜椅子埋没深さＤ１＞
試験２において最大磁束密度を測定した椅子２０の磁石体１０は、当然、クッション部材１に埋没しており、そのクッション部材１の表面１ａから、埋没する磁石体１０までの椅子埋没深さＤ１は、特に限定はないが、例えば、０．１ｃｍ以上１０．０ｃｍ以下、好ましくは０．５ｃｍ以上９．０ｃｍ以下、更に好ましくは１．０ｃｍ以上８．０ｃｍ以下であっても良い。
ここで、椅子埋没深さＤ１のうち、椅子２０の座部２１における椅子埋没深さＤ１を、座部埋没深さＤ１’とし、背凭れ部２２における椅子埋没深さＤ１を、背凭れ埋没深さＤ１”とする。
【００９０】
これら座部埋没深さＤ１’と背凭れ埋没深さＤ１”は、上述した椅子埋没深さＤ１の範囲内に入っていれば、特に限定はないが、使用者Ｓが椅子２０に着座した場合、その体重は、後方から使用者Ｓを支える背凭れ部２２より、下方から使用者Ｓを支える座部２１により多く掛かることとなる。
よって、座部埋没深さＤ１’を、背凭れ埋没深さＤ１”より大きく（深く）しても良い。
【００９１】
より詳しく各埋没深さＤ１’、Ｄ１”を述べれば、座部埋没深さＤ１’は、例えば、１．０ｃｍ以上１０．０ｃｍ以下、好ましくは２．０ｃｍ以上９．５ｃｍ以下、更に好ましくは３．０ｃｍ以上９．０ｃｍ以下であっても良い。
又、背凭れ埋没深さＤ１”は、例えば、０．１ｃｍ以上９．０ｃｍ以下、好ましくは０．３ｃｍ以上８．０ｃｍ以下、更に好ましくは０．５ｃｍ以上７．０ｃｍ以下であっても良い。
このように磁石体１０を、クッション部材１（座部２１、背凭れ部２２に埋没させることで、磁石が背凭れの表面から突出することはなく、使用者Ｓの着座時に取り付けた磁石体１０が当ることを更に抑制でき、クッション部材１本来の使い心地を確保できる一方で、クッション部材１の表面１ａに近過ぎないため、磁石体１０が使用者Ｓに当たり難い。
つまり、椅子２０における「使い心地」と「所定磁力の確保」の両立が実現できる。
【００９２】
＜脚部２３、肘掛部２４、リクライニング機構２５等＞
図１〜４に示したように、椅子２０の脚部２３は、座部２１の下面部より下方へ延びるものであって、その下端を椅子２０を載置する載置面に当接させて、椅子２０全体と着座した使用者Ｓを支えるものである。
脚部２３は、椅子２０全体や使用者Ｓを支えられるのであれば、特にその構成に限定はないが、例えば、左右両側に設けられた肘掛部２４の前後端から下方に延設されたものでも良く、肘掛部２４とは離れて直接座部２１の下面部から下方に延設した構成であったり、その本数も、細めの脚部４本や、太めの脚部２３が１本であったり、その他の本数であっても構わない。
尚、脚部２３や肘掛部２４の素材も、特に限定はないが、例えば、木（無垢材）や鉄、銅、亜鉛、アルミなどであっても良い。
【００９３】
リクライニング機構２５は、使用者Ｓの希望に応じて、背凭れ部２２を後傾させたり、この後傾に伴って座部２１を前方へせり出させたりする機構であっても良く、座部２１と背凭れ部２２が連結している部分を挟むように左右両側で前後２本の脚部２３と肘掛部２４に前後と上方を囲まれていても良い。
このように、背凭れ部２２を座部２１に対して後傾するリクライニング機構２５は、背凭れ部２２内の（複数又は１本の）フレームの下端と、座部２１内の（複数又は１本の）フレームの後端とを枢支した構成であっても良い。
尚、座部２１や背凭れ部２２内のフレームの素材も、特に限定はないが、例えば、例えば、鉄や銅、亜鉛、アルミ、木（無垢材）などであっても良い。
【００９４】
＜マット状物３０＞
図７〜１０に示したように、マット状物３０は、上述したクッション部材１を備えており、当然、このクッション部材１にも、上述した磁石体１０が埋没している。
マット状物３０は、磁石体１０が埋没したクッション部材１を備えていれば、何れの構成でも良いが、少なくともマット部３１を有している。
【００９５】
マット状物４０は、この他、脚部３２、枕部３３を有していても良い。
マット状物４０は、少なくともマット部３１にはクッション部材１を備えているが、その他、枕部３３にクッション部材１を備えていても構わない。
【００９６】
＜マット部３１＞
図７〜１０に示したように、マット状物３０のマット部３１は、使用者Ｓを下方から支える部分である。
マット部３１は、当該マット部３１全体が、上述したクッション部材１で形成されていても良いし、マット部３１のうち、使用者Ｓに当接するマット面３１ａ側（クッション部材１における表面一方側１Ａ）だけにクッション部材１を備え、マット面３１ａの反対側（クッション部材１における表面他方側１Ｂ）に別部材（クッション部材１の支持部材（格子状に組まれたフレーム）など）を有していても構わない。
【００９７】
マット部３１の形状は、マット部３１全体がクッション部材１で形成されている場合には、例えば、略直方体状（角の取れた直方体）であったり、略板状であったり、平面視で略矩形状、略三角形状、略星形状などであっても構わない。
マット部３１がクッション部材１とその支持部材を有している場合も、クッション部材１と支持部材を合わせた全体形状が、例えば、略直方体状や、平面視で略矩形状、略三角形状、略星形状などであっても良い。
【００９８】
マット部３１の大きさは、特に制限はないが、例えば、マット部３１が略直方体状である場合には、その左右方向の長さ（幅）が４６０ｍｍ以上７００ｍｍ以下、好ましくは５００ｍｍ以上６６０ｍｍ以下、更に好ましくは５４０ｍｍ以上６２０ｍｍ以下（例えば、５８０ｍｍ）であっても良い。
同様に、マット部３１が略直方体状である場合には、その他、マット部３１全体としての長手方向の長さは、例えば、１３８０ｍｍ以上１９３０ｍｍ以下、好ましくは１４３０ｍｍ以上１８３０ｍｍ以下、更に好ましくは１５３０ｍｍ以上１７３０ｍｍ以下（例えば、１６３０ｍｍ）であっても良い。
マット部３１におけるクッション部材１の厚さは、例えば、２０ｍｍ以上１４０ｍｍ以下、好ましくは４０ｍｍ以上１２０ｍｍ以下、更に好ましくは６０ｍｍ以上１００ｍｍ以下（例えば、８０ｍｍ）であっても良い。
【００９９】
マット部３１のクッション部材１に埋没する磁石体１０の個数も、特に制限はないが、当然、少なくとも１個は有しており、その他、磁石体１０を、２、４、６個・・・１４個・・・等の偶数個を左右対象位置に埋没させて良い（例えば、１４個）。
マット部３１において磁石体１０が左右対称位置に偶数個埋没している場合に、隣接する磁石体１０の間の距離（間隔）も、特に制限はないが、例えば、長手方向の距離（長手間隔）が１７０ｍｍ以上２３０ｍｍ以下、好ましくは１８０ｍｍ以上２２０ｍｍ以下、更に好ましくは１９０ｍｍ以上２１０ｍｍ以下（例えば、２００ｍｍ）でも良い。
【０１００】
又、マット部３１において、左右対称位置に偶数個埋没し隣接する磁石体１０の間の左右方向の距離（左右間隔）も、特に制限はなく、例えば、１７０ｍｍ以上２３０ｍｍ以下、好ましくは１８０ｍｍ以上２２０ｍｍ以下、更に好ましくは１９０ｍｍ以上２１０ｍｍ以下（例えば、２００ｍｍ）でも良い。
更に、マット部３１において、埋没している磁石体１０のクッション部材１端縁からの距離も、特に制限はなく、例えば、左右方向の距離は、１３０ｍｍ以上２５０ｍｍ以下、好ましくは１５０ｍｍ以上２３０ｍｍ以下、更に好ましくは１７０ｍｍ以上２１０ｍｍ以下（例えば、１９０ｍｍ）でも良く、長手方向の距離は、１５５ｍｍ以上２７５ｍｍ以下、好ましくは１７５ｍｍ以上２５５ｍｍ以下、更に好ましくは１９５ｍｍ以上２３５ｍｍ以下（例えば、２１５ｍｍ）でも良い。
【０１０１】
＜マット埋没深さＤ２＞
マット状物３０における磁石体１０は、当然、クッション部材１に埋没しており、そのクッション部材１の表面１ａから、埋没する磁石体１０までのマット埋没深さＤ２は、特に限定はないが、例えば、０．１ｃｍ以上５．０ｃｍ以下、好ましくは０．５ｃｍ以上４．５ｃｍ以下、更に好ましくは１．０ｃｍ以上４．０ｃｍ以下であっても良い。
又、使用者Ｓがマット状物３０に横たわった場合、その体重は、下方から使用者Ｓを支えるマット部３１全体に掛かることとなるが、この体重の掛かり方は、下方から使用者Ｓを支える座部２１よりは万遍なく掛かり、後方から使用者Ｓを支える背凭れ部２２よりは多く掛かる。
従って、マット埋没深さＤ２を、座部埋没深さＤ１’より小さく（浅く）、背凭れ埋没深さＤ１”より大きく（深く）しても良い。
このようなマット埋没深さＤ２とすることで、マット状物３０のように、使用者Ｓの体重が全体に分散してかかる部分であっても、クッション部材１の表面１ａが磁石体１０から離れ過ぎず、使用者Ｓに照射する磁力を十分確保できる一方で、クッション部材１の表面１ａに近過ぎず、磁石体１０が使用者Ｓに当たり難い。
つまり、マット状物３０においても、「使い心地」と「所定磁力の確保」の両立が実現できる。
【０１０２】
＜脚部３２、枕部３３＞
図７〜１０に示したように、マット状物３０の脚部３２は、マット部３１の下面部より下方へ延びるものであって、その下端をマット状物３０を載置する載置面に当接させて、マット状物３０全体と横たわる使用者Ｓを支えるものである。
脚部３２は、マット状物３０全体や使用者Ｓを支えられるのであれば、特にその構成に限定はないが、例えば、マット部３１におけるマット面３１ａの反対側（クッション部材１における表面他方側１Ｂ）に略矩形状のフレーム（支持部材）が取り付けられ、このフレームにおける四隅から下方に延設されたものでも良い。
【０１０３】
尚、脚部３２は、フレームにおける四隅から真っ直ぐ下方へ延設されていても良いが、その他、左右方向内側へ若干（例えば、８５°）傾いて延設されていても良く、フレーム自体も、長手方向の両端における端面が長手方向内側へ若干（例えば、８５°）傾いて形成されていても良い。
又、脚部３２は、４つの脚部３２が互いの下端同士を別のフレームで連接した構成であったり、その本数も、細めの脚部４本や、幅広の脚部２３が２本であったり、その他の本数であっても構わない。
尚、脚部３２やフレームの素材も、特に限定はないが、例えば、木（無垢材）や鉄、銅、亜鉛、アルミなどであっても良い。
【０１０４】
図７〜１０に示したように、マット状物３０の枕部３３は、横たわる使用者Ｓの頭を下方から支えるものであって、使用者Ｓの希望に応じて、着脱可能としても良い。
この枕部３３は、上述のクッション部材１を備えていたり、枕部３３そのものがクッション部材１であっても良く、当然、枕部３３に１つ又は複数の磁石体１０が埋没されていても構わない。
【０１０５】
＜その他のクッション部材１（スツール３５）＞
図１１〜１４には、その他のクッション部材１であるスツール３５が示されている。
スツール３５は、背凭れ部や肘掛部のない椅子とも捉えられるが、ここでは、椅子２０ではなく、足のせ台等に用いられるクッション部材１の１つとして以下に述べる。
【０１０６】
スツール３５は、磁石体１０が埋没したクッション部材１を備えていれば、何れの構成でも良いが、少なくとも台部３６を有していて、この台部３６にはクッション部材１を備えている。
台部３６は、当該台部３６全体が、上述したクッション部材１で形成されていても良いし、台部３６のうち、使用者Ｓに当接するマット面３１ａ側（クッション部材１における表面一方側１Ａ）だけにクッション部材１を備え、マット面３１ａの反対側（クッション部材１における表面他方側１Ｂ）に別部材（クッション部材１の支持部材（フレーム）など）を有していても構わない。
スツール３５は、この他、脚部３７、取手部３８を有していても良い。尚、スツール３５において、取手部３８は左右両側に取り付けられているとし、これら取手部３８を結ぶ方向を左右方向とする。
【０１０７】
台部３６の形状は、台部３６全体がクッション部材１で形成されている場合には、例えば、略直方体状（角の取れた直方体）であったり、略板状であったり、平面視で略矩形状、略三角形状、略星形状などであっても構わない。
台部３６がクッション部材１とその支持部材を有している場合も、クッション部材１と支持部材を合わせた全体形状が、例えば、略直方体状や、平面視で略矩形状、略三角形状、略星形状などであっても良い。
【０１０８】
台部３６の大きさは、特に制限はないが、例えば、台部３６が略直方体状である場合には、その左右方向の長さ（幅）が４６０ｍｍ以上７００ｍｍ以下、好ましくは５００ｍｍ以上６６０ｍｍ以下、更に好ましくは５４０ｍｍ以上６２０ｍｍ以下（例えば、５８０ｍｍ）であっても良い。
同様に、台部３６が略直方体状である場合には、その他、台部３６全体としての前後方向の長さは、例えば、３００ｍｍ以上５４０ｍｍ以下、好ましくは３４０ｍｍ以上５００ｍｍ以下、更に好ましくは３８０ｍｍ以上４６０ｍｍ以下（例えば、４２０ｍｍ）であっても良い。
台部３６におけるクッション部材１の厚さは、例えば、２０ｍｍ以上１４０ｍｍ以下、好ましくは４０ｍｍ以上１２０ｍｍ以下、更に好ましくは６０ｍｍ以上１００ｍｍ以下（例えば、８０ｍｍ）であっても良い。
【０１０９】
台部３６のクッション部材１に埋没する磁石体１０の個数も、特に制限はないが、当然、少なくとも１個は有しており、その他、磁石体１０を、２、４、６個・・・等の偶数個を左右対象位置に埋没させて良い（例えば、４個）。
台部３６において磁石体１０が左右対称位置に偶数個埋没している場合に、隣接する磁石体１０の間の距離（間隔）も、特に制限はないが、例えば、前後方向の距離（前後間隔）が１１０ｍｍ以上１７０ｍｍ以下、好ましくは１２０ｍｍ以上１６０ｍｍ以下、更に好ましくは１３０ｍｍ以上１５０ｍｍ以下（例えば、１４０ｍｍ）でも良い。
【０１１０】
又、台部３６において、左右対称位置に偶数個埋没し隣接する磁石体１０の間の左右方向の距離（左右間隔）も、特に制限はなく、例えば、１７０ｍｍ以上２３０ｍｍ以下、好ましくは１８０ｍｍ以上２２０ｍｍ以下、更に好ましくは１９０ｍｍ以上２１０ｍｍ以下（例えば、２００ｍｍ）でも良い。
更に、台部３６において、埋没している磁石体１０のクッション部材１端縁からの距離も、特に制限はなく、例えば、左右方向の距離は、１１０ｍｍ以上２３０ｍｍ以下、好ましくは１３０ｍｍ以上２１０ｍｍ以下、更に好ましくは１５０ｍｍ以上１９０ｍｍ以下（例えば、１６７ｍｍ）でも良く、前後方向の距離は、１１０ｍｍ以上１７０ｍｍ以下、好ましくは１２０ｍｍ以上１６０ｍｍ以下、更に好ましくは１３０ｍｍ以上１５０ｍｍ以下（例えば、１４０ｍｍ）でも良い。
【０１１１】
＜試験３＞
ここまで述べたスツール３５における磁石体１０について、台部３６に埋没する４個の磁石体１０（図１３中の<1> 〜<4> ）ごとに表側（上側、又は、使用者Ｓに近接する側）から生じる磁力の大きさ（最大磁束密度）を、以下の表３に示す。
尚、各磁石体１０における最大磁束密度は、試験２と同様で、ＪＩＳ−Ｔ−２００７：２０１１（４．１）に準ずる方法によって測定され、測定機器は、ガウスメーターＧＭ−４０００（電子磁気工業株式会社製）を用いた。測定時の気温は２２℃、湿度は３０％であった。
【０１１２】
又、試験３において用いた磁石体１０も、略ボタン状であり、磁石部１１と受け部１２とカバー部１５と表面部１６を有していて、以下、試験１と同様で、磁石部１１は略リング状で希土類の永久磁石を２枚使用しており、受け部１２からカバー部１５までの距離は約５ｍｍである。
更に、磁石部１１の厚さも、試験１、２と同様で、約２．５ｍｍであっても良い。
【０１１３】
【表３】
0005944071.tif 000004
【０１１４】
この表３で示されたように、台部３６における合計４個の磁石体１０から発生する磁力は、各磁石体１０内における磁石部１１の高さ位置や、表面部１６の厚さなどが微妙に異なるものの、何れも１７０ｍＴ（ミリテスラ）（１７００Ｇ（ガウス））前後、より詳しくは、１７０ｍＴ±３０ｍＴ（１７００Ｇ±３００Ｇ）の範囲内に入っている。
つまり、使用者Ｓへ照射（浸透）する所定磁力（例えば、１７０ｍＴ（１７００Ｇ）など）が確保されている。
【０１１５】
＜スツール埋没深さＤ３＞
スツール３５における磁石体１０は、当然、クッション部材１に埋没しており、そのクッション部材１の表面１ａから、埋没する磁石体１０までのスツール埋没深さＤ３は、特に限定はないが、例えば、０．１ｃｍ以上１０．０ｃｍ以下、好ましくは０．５ｃｍ以上９．０ｃｍ以下、更に好ましくは１．０ｃｍ以上８．０ｃｍ以下であっても良い。
又、使用者Ｓがスツール３５に足を置いた場合、その重さは、下方から使用者Ｓを支える台部３６全体に掛かることとなるが、この重さの掛かり方は、当然、着座した使用者Ｓを下方から支える座部２１や、着座した使用者Ｓを後方から支える背凭れ部２２、横たわる使用者Ｓを下方から支えるマット部３１より少ない。
従って、スツール埋没深さＤ３を、座部埋没深さＤ１’、背凭れ埋没深さＤ１”及びマット埋没深さＤ２より小さく（浅く）しても良い。
【０１１６】
＜脚部３７、取手部３８＞
図１１〜１４に示したように、スツール３５の脚部３７は、台部３６の下面部より下方へ延びるものであって、その下端をスツール３５を載置する載置面に当接させて、スツール３５全体と使用者Ｓの足等を支えるものである。
脚部３７は、スツール３５全体や使用者Ｓの足等を支えられるのであれば、特にその構成に限定はないが、例えば、左右両側に設けられた取手部３８の前後端から下方に延設されたものでも良く、取手部３８とは離れて直接台部３６の下面部から下方に延設した構成であったり、その本数も、細めの脚部４本や、太めの脚部２３が１本であったり、その他の本数であっても構わない。
尚、脚部３７や取手部３８の素材も、特に限定はないが、例えば、木（無垢材）や鉄、銅、亜鉛、アルミなどであっても良い。
【０１１７】
＜シート状物４０＞
図１５に示したように、シート状物４０は、ブランケット、ストール、インソール（靴の中敷）などであって、上述した磁石体１０を有している。
シート状物４０における磁石体１０は、略ボタン状に形成され、シート状物４０の表面４０ａに取り付けられている。
【０１１８】
この時、シート状物４０に取り付けられた磁石体１０は、シート状物４０そのものの厚さにもよるが、シート状物４０の表面４０ａから埋没していても良いし、シート状物４０の表面４０ａから埋没しない状態で配置されていても良い。
シート状物４０に対する磁石体１０の取付手段は、特に限定はないが、例えば、磁石体１０を別のシート状物（カバーシート４１）で覆い、覆ったこのカバーシート４１の周端部をシート状物４０の表面４０ａに固着（縫製や接着など）させた状態としても良い。尚、磁石体１０を覆うこのカバーシート４１は、ブランケット等であるシート状物４０の模様（格子模様など）に合わせた箇所に固着（例えば、格子模様の格子内側縁に沿って、カバーシート４１を固着）させても良い。
【０１１９】
シート状物４０に対する磁石体１０の取付位置も、特に限定はないが、例えば、シート状物４０を折り畳んだ際に、互いに重ならない位置（例えば、平面視で互い違いになる位置や、シート状物４０における表面一方側（表側）４０Ａと表面他方側（裏側）４０Ｂで表裏交互）に取り付けても良い。
シート状物４０の素材は、例えば、織物、編物、不織布などの布帛、合成樹脂のフィルム、天然皮革や合成皮革などの皮革、紙などで構成されていても良い。
【０１２０】
シート状物４０は、何れの形状でも良いが、例えば、平面視で略矩形状、略円形状、略三角形状、略星形状などであっても構わない。
シート状物４０の厚さも、何れの値でも良いが、例えば、０．０５ｍｍ以上５０．００ｍｍ以下、好ましくは０．５０ｍｍ以上３０．００ｍｍ以下、更に好ましくは１．００ｍｍ以上１０．００ｍｍ以下であっても良い。
このようなシート状物４０によって、磁石部１１の少なくとも裏側に受け部１２を配設した方が磁力を上げることが出来、使用者Ｓへ照射する所定磁力を確保したまま、磁石部１１（磁石体１０）を大きくする必要がなく、「所定磁力を確保しての磁石小型化」が図れると同時に、この小型化によって、磁石体１０は、使用者Ｓに当たることを抑制できる。
【０１２１】
＜その他＞
本発明は、前述した実施形態に限定されるものではない。クッション部材１、磁石体１０、椅子２０、マット状物３０、シート状物４０等の各構成又は全体の構造、形状、寸法などは、本発明の趣旨に沿って適宜変更することが出来る。
クッション部材１は、上述では、中材２と被覆材３を有していたが、使用者Ｓを支えられるのであれば、被覆材３を有さず、中材２のみ（つまり、中材２が剥き出し）であっても良い。
この場合、磁石体１０は、直接、中材２に取り付けられることとなる。
【０１２２】
クッション部材１は、使用者Ｓを支えられるのであれば、上述とは逆に、中材２を有さず、被覆材３のみ（つまり、被覆材３の内部が空気）であっても良い。
この場合、磁石体１０は、当然、被覆材３に取り付けられることとなる。
【０１２３】
磁石体１０は、上述では、磁石部１１と受け部１２をそれぞれ１つずつ有していたが、１つの磁石部１１に対して、受け部１２を２つ又は２つ以上有していたり、これとは逆に、１つの受け部１２に対して、磁石部１１を２つ又は２つ以上有していても良い。
磁石部１１は、上述では、糸状体１３、係止体１４、カバー部１５、表面部１６及び連結部１７を有していたが、糸状体１３、係止体１４、カバー部１５、表面部１６、連結部１７及びスペーサ部１８のうち、少なくとも１つを有していなくとも良い。
【０１２４】
磁石体１０における連結部１７は、カバー部１５の支持材１５ａの下端（先端）側に設けられていたが、受け部１２の裏面（下面）に取り付けられていても良い。
この場合には、カバー部１５に支持材１５ａを設けずとも良く、これに伴って、支持材１５ａを挿通させる磁石部１１の貫通孔１１ａや、受け部１２の貫通孔１２ａを設けずとも良い。
【０１２５】
椅子２０は、上述では、座部２１と背凭れ部２２等を１つずつ有していたが、例えば、図２（ｂ）、（ｃ）に示したように、１つの椅子２０で、座部２１と背凭れ部２２を２つずつ有していたり（２人掛けの椅子２０）、３つずつ（３人掛けの椅子２０）、更には、４つ以上を有していても良い。
又、このように１つの椅子２０が複数の座部２１や背凭れ部２２を有している場合には、隣接する座部２１や背凭れ部２２同士が、肘掛部２４を挟んで連結していても良い。
【産業上の利用可能性】
【０１２６】
磁石体は、クッション部材や、クッション部材を備えた椅子及びマット状物や、シート状物に用いられるが、より具体的には、脚や背凭れの有無を問わずソファーや自動車のカーシートなど椅子全般に利用したり、使用者が横たわることが出来るのであれば何れの構成をも含む布団、ベッドなど何れのマット状物にも利用したり、スツール等のクッション部材を備えたものや、ブランケット、ストール、インソール（靴の中敷）などのシート状物など何れの物品にも利用可能である。
【符号の説明】
【０１２７】
１      クッション部材
１０      磁石体
１１      磁石部
１２      受け部
１３      糸状体
１４      係止体
２０      椅子
３０      マット状物
４０      シート状物
Ｓ      使用者
Ｔ      クッション部材の厚さ
Ｌ      糸状体の長さ
Ｄ１      椅子埋没深さ
Ｄ２      マット埋没深さ
【要約】
【課題】磁石部に着磁可能な受け部をその裏側に配設した磁石体を、クッション部材に埋没させて、「使い心地の確保」と「所定磁力を確保しての磁石小型化」を実現できる。
【解決手段】使用者Ｓを支えるクッション部材である。磁石部１１と、磁石部１１に着磁可能な受け部１２を磁石部１１の裏側に配設した磁石体１０を有し、この磁石体１０は、当該クッション部材に埋没している。磁石体１０に糸状体１３を介して連結された係止体１４を有し、磁石体１０は当該クッション部材の表面一方側から埋没し、糸状体１３は当該クッション部材を厚さ方向に貫通し、係止体１４は当該クッション部材の表面他方側に配設され、当該クッション部材の厚さＴより、糸状体１３の長さＬが小さくても良い。クッション部材の表面から磁石体１０までの椅子埋没深さＤ１、Ｄ２が０．１ｃｍ以上１０．０ｃｍ以下や０．１ｃｍ以上５．０ｃｍ以下であっても良い。【図５】
0005944071.tif 000005
【図１】
0005944071.tif 000006
【図２】
0005944071.tif 000007
【図３】
0005944071.tif 000008
【図４】
0005944071.tif 000009
【図６】
0005944071.tif 000010
【図７】
0005944071.tif 000011
【図８】
0005944071.tif 000012
【図９】
0005944071.tif 000013
【図１０】
0005944071.tif 000014
【図１１】
0005944071.tif 000015
【図１２】
0005944071.tif 000016
【図１３】
0005944071.tif 000017
【図１４】
0005944071.tif 000018
【図１５】
0005944071.tif 000019